(57)【特許請求の範囲】
【請求項１】
循環液が供給されて温調される床暖房パネル（２Ａ，２Ｂ，２Ｃ）と、
前記床暖房パネルに対して開閉弁（１５Ａ，１５Ｂ，１５Ｃ）を介して、温調された前記循環液を循環供給する室外ユニット（５０）と、
前記室外ユニットに対して所定の制御信号を送信可能なリモコン（４６）と、
を備える床暖房装置（１００）であって、
前記室外ユニットの運転は、前記リモコンの操作により行われる前記床暖房パネルの種類の初期設定に基づいて制御されるとともに、
当該床暖房装置の据付後に、前記床暖房パネルの種類の初期設定がなされていない場合は、前記室外ユニットの運転が規制されることを特徴とする床暖房装置。
【請求項２】
循環液が供給されて温調される床暖房パネル（２Ａ，２Ｂ，２Ｃ）と、
前記床暖房パネルに対して開閉弁（１５Ａ，１５Ｂ，１５Ｃ）を介して、温調された前記循環液を循環供給する室外ユニット（５０）と、
前記室外ユニットに対して所定の制御信号を送信可能なリモコン（４６）と、
を備える床暖房装置（１００）であって、
前記室外ユニットの運転は、前記リモコンの操作により行われる前記循環液の種類の初期設定に基づいて制御されるとともに、
当該床暖房装置の据付後に、前記循環液の種類の初期設定がなされていない場合は、前記室外ユニットの運転が規制されることを特徴とする床暖房装置。
【請求項３】
循環液が供給されて温調される複数の床暖房パネル（２Ａ，２Ｂ，２Ｃ）と、
複数の開閉弁（１５Ａ，１５Ｂ，１５Ｃ，１５Ｄ）を有し、前記複数の床暖房パネルに対して前記複数の開閉弁のうちのいずれかの開閉弁を介して、温調された前記循環液を循環供給する室外ユニット（５０）と、
前記室外ユニットに対して所定の制御信号を送信可能なリモコン（４６）と、
を備える床暖房装置（１００）であって、
前記室外ユニットの運転は、前記リモコンの操作により行われる前記複数の床暖房パネルと前記複数の開閉弁との対応関係の初期設定に基づいて制御されるとともに、
当該床暖房装置の据付後に、前記対応関係の初期設定がなされていない場合は、前記室外ユニットの運転が規制されることを特徴とする床暖房装置。
【請求項４】
前記複数の開閉弁の少なくとも一つが、前記床暖房パネルに接続されていない非接続開閉弁である場合において、
前記複数の床暖房パネルと前記複数の開閉弁との対応関係の初期設定の際に、前記非接続開閉弁に対して前記床暖房パネルが接続されていることを示す対応関係が設定された場合は、前記リモコンの表示部に対応警告画面が表示されることを特徴とする請求項３に記載の床暖房装置。
【請求項５】
予め定められた操作である設定画面表示操作を前記リモコンに対して行うことにより、当該床暖房装置の据付後に行った前記初期設定の変更が可能であり、
前記設定画面表示操作を行うと、前記リモコンの表示部に設定警告画面が表示され、その後、前記リモコンの操作により前記初期設定の変更が可能になることを特徴とする請求項１〜４の少なくともいずれか一項に記載の床暖房装置。
【請求項６】
循環液が供給されて温調される床暖房パネル（２Ａ，２Ｂ，２Ｃ）と、
前記床暖房パネルに対して開閉弁（１５Ａ，１５Ｂ，１５Ｃ）を介して、温調された前記循環液を循環供給する室外ユニット（５０）と、
前記室外ユニットに対して所定の制御信号を送信可能なリモコン（４６）と、
を備える床暖房装置（１００）であって、
前記室外ユニットは、前記室外ユニットから当該床暖房装置の運転に必要な前記循環液を前記床暖房パネルに供給するための給水運転を前記リモコンを操作しながら行うものであって、
当該床暖房装置の据付後に、前記給水運転がなされていない場合は、前記室外ユニットの運転が規制されることを特徴とする床暖房装置。
【請求項７】
予め定められた操作である設定画面表示操作を前記リモコンに対して行うことにより、前記給水運転を行うことが可能であり、
前記設定画面表示操作を行うと、前記リモコンの表示部に設定警告画面が表示され、その後、前記給水運転が可能になることを特徴とする請求項６に記載の床暖房装置。
【請求項８】
前記リモコンに対して、前記設定画面表示操作以外の所定の操作を行うことにより、前記室外ユニットから当該床暖房装置の運転に必要な前記循環液を前記床暖房パネルに供給するための給水運転を行うことが可能であることを特徴とする請求項５又は請求項７に記載の床暖房装置。
【発明の詳細な説明】
【技術分野】
【０００１】
本発明は、リモコンにより室外ユニットの初期設定を行うことが可能な床暖房装置に関する。
【背景技術】
【０００２】
近年、床暖房装置の機能向上に伴って、床暖房装置の運転には様々な初期設定が必要となっている。通常、床暖房装置の据付後に、例えば据付作業者により床暖房装置の初期設定が行われているが、当該初期設定に誤りがあると、ユーザーの望むように床暖房装置が運転されなかったり、或いは、非効率的な運転になる虞がある。
【０００３】
特許文献１には、複数のリモコンと、複数の床暖放熱パネルを有する無線床暖房制御装置が開示されている。この無線床暖房制御装置においては、リモコンの設定の際に、リモコンと床暖放熱パネルの組み合わせが重複した場合、リモコンに警告表示指示を送信する。その後、当該警告表示支持を受信したリモコンは表示器に警告表示を行う。これにより、施工時のリモコンと放熱パネルの組み合わせ間違いが防止され、ユーザーの意図しない床暖放熱パネルが暖まるなどの問題が解消される。
【０００４】
【特許文献１】特開２００４−１３２５８２号公報
【発明の開示】
【発明が解決しようとする課題】
【０００５】
しかしながら、床暖房装置には様々な初期設定が必要となるが、通常、床暖房装置には、出荷段階において初期設定データが入力されている。そのため、据付時において、据付作業者が初期設定を忘れた場合であっても、当該出荷段階時の初期設定データに基づいて、ユーザーにより床暖房装置の運転がなされる可能性がある。この場合、ユーザーの意図に反して床暖房装置が作動したり、床暖房装置の運転が非効率的になってしまう虞がある。
【０００６】
そこで、この発明は、上記のような課題を解決するため、ユーザーによる運転前に、初期設定を確実に行うことが可能な床暖房装置を提供することを目的とする。
【課題を解決するための手段】
【０００７】
第１の発明の床暖房装置は、循環液が供給されて温調される床暖房パネルと、前記床暖房パネルに対して開閉弁を介して、温調された前記循環液を循環供給する室外ユニットと、前記室外ユニットに対して所定の制御信号を送信可能なリモコンと、を備える床暖房装置であって、前記室外ユニットの運転は、前記リモコンの操作により行われる前記床暖房パネルの種類の初期設定に基づいて制御されるとともに、当該床暖房装置の据付後に、前記床暖房パネルの種類の初期設定がなされていない場合は、前記室外ユニットの運転が規制されることを特徴とする。
【０００８】
この床暖房装置では、リモコンの操作により床暖房パネルの種類について初期設定を行うことができる。そして、設定された床暖房パネルの種類に応じて室外ユニットの作動を制御することができる。これにより、使用する床暖房パネルの種類に合わせて、効率が良くなるような運転や、ユーザーの快適性が向上するような運転を行うことが可能になる。
更に、床暖房装置の据付後に、床暖房パネルの種類の初期設定がなされていない場合は、室外ユニットの運転が規制されるので、ユーザーによる運転前に、確実に初期設定を行うことが可能になる。その結果、効率の良い運転や、快適性の高い運転が確実に行われるようになる。
【０００９】
第２の発明の床暖房装置は、循環液が供給されて温調される床暖房パネルと、前記床暖房パネルに対して開閉弁を介して、温調された前記循環液を循環供給する室外ユニットと、前記室外ユニットに対して所定の制御信号を送信可能なリモコンと、を備える床暖房装置であって、前記室外ユニットの運転は、前記リモコンの操作により行われる前記循環液の種類の初期設定に基づいて制御されるとともに、当該床暖房装置の据付後に、前記循環液の種類の初期設定がなされていない場合は、前記室外ユニットの運転が規制されることを特徴とする。
【００１０】
この床暖房装置では、リモコンの操作により循環液の種類について初期設定を行うことができる。そして、設定された循環液の種類に応じて室外ユニットの作動を制御することができる。これにより、使用する循環液の種類に合わせて、効率が良くなるような運転や、ユーザーの快適性が向上するような運転を行うことが可能になる。
更に、床暖房装置の据付後に、循環液の種類の初期設定がなされていない場合は、室外ユニットの運転が規制されるので、ユーザーによる運転前に、確実に初期設定を行うことが可能になる。その結果、効率の良い運転や、快適性の高い運転が確実に行われるようになる。
【００１１】
第３の発明の床暖房装置は、循環液が供給されて温調される複数の床暖房パネルと、複数の開閉弁を有し、前記複数の床暖房パネルに対して前記複数の開閉弁のうちのいずれかの開閉弁を介して、温調された前記循環液を循環供給する室外ユニットと、前記室外ユニットに対して所定の制御信号を送信可能なリモコンと、を備える床暖房装置であって、前記室外ユニットの運転は、前記リモコンの操作により行われる前記複数の床暖房パネルと前記複数の開閉弁との対応関係の初期設定に基づいて制御されるとともに、当該床暖房装置の据付後に、前記対応関係の初期設定がなされていない場合は、前記室外ユニットの運転が規制されることを特徴とする。
【００１２】
この床暖房装置では、リモコンの操作により前記複数の床暖房パネルと前記複数の開閉弁との対応関係について初期設定を行うことができる。そして、設定された前記対応関係に基づいて室外ユニットの作動を制御することができる。
更に、床暖房装置の据付後に、前記対応関係の初期設定がなされていない場合は、室外ユニットの運転が規制されるので、ユーザーによる運転前に、確実に初期設定を行うことが可能になる。その結果、ユーザーの意図に反して床暖房装置が作動することを防ぐことができる。
【００１３】
第４の発明の床暖房装置は、前記複数の開閉弁の少なくとも一つが、前記床暖房パネルに接続されていない非接続開閉弁である場合において、前記複数の床暖房パネルと前記複数の開閉弁との対応関係の初期設定の際に、前記非接続開閉弁に対して前記床暖房パネルが接続されていることを示す対応関係が設定された場合は、前記リモコンの表示部に対応警告画面が表示されることを特徴とする。
【００１４】
この床暖房装置では、据付作業者が誤って非接続開閉弁に対して床暖房パネルが接続されていることを示す対応関係の設定をした場合には、警告画面が表示されるので、据付作業者は、当該誤りに容易に気づくことができる。これにより、開閉弁と床暖房パネルとの正確な対応関係が設定されるため、ユーザーの意図に反して床暖房装置が作動することをより確実に防ぐことができる。
【００１５】
第５の発明の床暖房装置は、予め定められた操作である設定画面表示操作を前記リモコンに対して行うことにより、当該床暖房装置の据付後に行った前記初期設定の変更が可能であり、前記設定画面表示操作を行うと、前記リモコンの表示部に設定警告画面が表示され、その後、前記リモコンの操作により前記初期設定の変更が可能になることを特徴とする。
【００１６】
この床暖房装置では、設定画面表示操作を行うことで、リモコンで初期設定を変更できる。また、ユーザーが誤って設定画面表示操作をした場合においては、警告表示がなされるため、初期設定を誤って変更してしまい、床暖房装置の運転に支障をきたすことを防止できる。
【００１７】
第６の発明の床暖房装置は、循環液が供給されて温調される床暖房パネルと、前記床暖房パネルに対して開閉弁を介して、温調された前記循環液を循環供給する室外ユニットと、前記室外ユニットに対して所定の制御信号を送信可能なリモコンと、を備える床暖房装置であって、前記室外ユニットは、前記室外ユニットから当該床暖房装置の運転に必要な前記循環液を床暖房パネルに供給するための給水運転を前記リモコンを操作しながら行うものであって、当該床暖房装置の据付後に、前記給水運転がなされていない場合は、前記室外ユニットの運転が規制されることを特徴とする。
【００１８】
床暖房装置の据付後に、給水運転がなされていない場合は、室外ユニットの運転が規制される。したがって、ユーザーによる運転前に、確実に給水運転を行うことが可能になる。その結果、ユーザーによる運転前に、確実に床暖房パネルに循環液を供給しておくことが可能になる。これにより、適切な運転ができずにユーザーの快適性が損なわれることを防止することができる。
【００１９】
第７の発明の床暖房装置は、予め定められた操作である設定画面表示操作を前記リモコンに対して行うことにより、前記給水運転を行うことが可能であり、前記設定画面表示操作を行うと、前記リモコンの表示部に設定警告画面が表示され、その後、前記給水運転が可能になることを特徴とする。
【００２０】
この床暖房装置では、設定画面表示操作を行うことで、給水運転を行うことができる。また、ユーザーが誤って設定画面表示操作をした場合においては、警告表示がなされる。これにより、ユーザーが意図しないのに床暖房装置が給水運転のための制御モードに入ってしまうことを防止できる。
【００２１】
第８の発明の床暖房装置は、前記リモコンに対して、前記設定画面表示操作以外の所定の操作を行うことにより、前記室外ユニットから当該床暖房装置の運転に必要な前記循環液を床暖房パネルに供給するための給水運転を行うことが可能であることを特徴とする。
【００２２】
この床暖房装置では、設定画面表示操作を行うことなく給水運転を行うことができる。したがって、ユーザーが給水運転を行う際に、誤って初期設定を変更してしまうことを防止することができる。
【発明の効果】
【００２３】
以上の説明に述べたように、本発明によれば、以下の効果が得られる。
【００２４】
第１の発明では、使用する床暖房パネルの種類に合わせて、効率が良くなるような運転や、ユーザーの快適性が向上するような運転を行うことが可能になる。更に、ユーザーによる運転前に、確実に初期設定を行うことが可能になる。その結果、効率の良い運転や、快適性の高い運転が確実に行われるようになる。
【００２５】
また、第２の発明では、使用する循環液の種類に合わせて、効率が良くなるような運転や、ユーザーの快適性が向上するような運転を行うことが可能になる。更に、ユーザーによる運転前に、確実に初期設定を行うことが可能になる。その結果、効率の良い運転や、快適性の高い運転が確実に行われるようになる。
【００２６】
また、第３の発明では、設定された前記対応関係に基づいて室外ユニットの作動を制御することができる。更に、ユーザーによる運転前に、確実に初期設定を行うことが可能になる。その結果、ユーザーの意図に反して床暖房装置が作動することを防ぐことができる。
【００２７】
また、第４の発明では、開閉弁と床暖房パネルとの正確な対応関係が設定されるため、ユーザーの意図に反して床暖房装置が動作することをより確実に防ぐことができる。
【００２８】
また、第５の発明では、設定画面表示操作を行うことで、リモコンで初期設定を変更できる。また、ユーザーが誤って初期設定を変更してしまい、床暖房装置の運転に支障をきたすことを防止できる。
【００２９】
また、第６の発明では、ユーザーによる運転前に、確実に給水運転を行うことが可能になる。その結果、適切な運転ができずにユーザーの快適性が損なわれることを防止することができる。
【００３０】
また、第７の発明では、設定画面表示操作を行うことで、給水運転を行うことができる。また、ユーザーが意図しないのに床暖房装置が給水運転のための制御モードに入ってしまうことを防止できる。
【００３１】
また、第８の発明では、ユーザーが給水運転を行う際に、誤って初期設定を変更してしまうことを防止することができる。
【発明を実施するための最良の形態】
【００３２】
（第１実施形態）
以下、図面に基づいて、本発明に係る床暖房装置の実施形態について説明する。図１は、加熱源としてヒートポンプを用いた床暖房装置１００の水系統及び冷媒系統を示す回路図である。
【００３３】
この発明の床暖房装置１００の具体的な実施の形態について、図面を参照しつつ詳細に説明する。まず、図１に示しているシステムは、マルチ型のヒートポンプシステムを利用したもので、一台の室外機１７に対して、室内ユニット１８と温調水ユニット１とを並列に接続している。これら室外機１７と温調水ユニット１により室外ユニット５０が構成される。そして室外機１７と室内ユニット１８とによって空気調和機が構成されており、また室外機１７と温調水ユニット１、床暖房パネル２Ａ，２Ｂ，２Ｃ、リモコン４６等によって床暖房装置１００が構成されている。この実施形態において、特徴的なのは、床暖房装置１００であるが、いま便宜上、両者について説明する。
【００３４】
まず図１における回路図の床暖房装置１００の水系統について説明する。
床暖房装置１００は、温調水ユニット１と、家屋の床面に配置された３枚の床暖房パネル２Ａ，２Ｂ，２Ｃと、ヒートポンプシステムの室外機１７と、を有して構成される。尚、床暖房パネル２Ａ，２Ｂ，２Ｃは、１つの部屋に複数設置することもできるし、複数の部屋にそれぞれ設置することもできる。上記温調水ユニット１と床暖房パネル２Ａ，２Ｂ，２Ｃとは、温調水往き配管３ａと温調水戻り配管３ｂとから成る温調水配管３によって、それぞれ、熱動弁１５Ａ，１５Ｂ，１５Ｃが介設された配管１４ａ，１４ｂ，１４ｃ、及び、分岐管接続部６ｃに対して接続されている。そして、この温調水配管３を通して、温調水ユニット１と床暖房パネル２Ａ，２Ｂ，２Ｃとの間において、水循環経路を構成し、温調水８（循環液）の循環供給を行うよう構成されている。
【００３５】
上記温調水ユニット１は、機械室１ａとヘッダ室１ｂとを備えており、上記機械室１ａには、水熱交換器１６、簡易密閉型の膨張タンク７、循環ポンプ９、電装品等で構成される制御装置３３等が設けられている。一方、上記ヘッダ室１ｂには往きヘッダ４、戻りヘッダ６等が設けられている。詳細に説明すると、上記機械室１ａにおける膨張タンク７の底部には往き管１０が接続されており、その先端が循環ポンプ９を介してヘッダ室１ｂの往きヘッダ４に接続されている。上記往きヘッダ４は、略筒状のヘッダ本体４ａと、その基端部に形成された主管接続部４ｂと、ヘッダ本体４ａ外周部の長手方向に並設して形成された複数個（本実施形態では、４個）の分岐管接続部４ｃとから成る。上記主管接続部４ｂに往き管１０が接続される。そして、各分岐管接続部４ｃには、開閉弁である熱動弁１５Ａ，１５Ｂ，１５Ｃ，１５Ｄが介設された配管１４ａ，１４ｂ，１４ｃ，１４ｄが接続されている。当該配管１４ａ，１４ｂ，１４ｃに、上記床暖房パネル２Ａ，２Ｂ，２Ｃへと通じる温調水往き配管３ａの一端が接続されている。一方、上記温調水往き配管３ａの他端は、床暖房パネル２Ａ，２Ｂ，２Ｃに形成された蛇行形状の温調水循環パイプ１１の一端の接続部５に接続されている。従って、上記膨張タンク７内の温調水８は循環ポンプ９の作動によって往き管１０に供給され、さらに往きヘッダ４で複数本の温調水往き配管３ａに分流されて、各床暖房パネル２Ａ，２Ｂ，２Ｃへと供給される。
【００３６】
一方、上記床暖房パネル２Ａ，２Ｂ，２Ｃに形成された温調水循環パイプ１１のもう一方の接続部５には、温調水戻り配管３ｂが接続されており、さらにその先端がヘッダ室１ｂの戻りヘッダ６に接続されている。上記戻りヘッダ６は、往きヘッダ４と同様に、略筒状のヘッダ本体６ａと、その基端部に形成された主管接続部６ｂと、ヘッダ本体６ａ外周部の長手方向に並設して形成された複数個（本実施形態では４個）の分岐管接続部６ｃとから成り、上記分岐管接続部６ｃに温調水戻り配管３ｂが接続されると共に、上記主管接続部６ｂに戻り管１２が接続されている。また、上記戻り管１２と膨張タンク７とは熱交換路１３によって接続されているが、この熱交換路１３は、以下に述べる冷媒回路の凝縮器又は蒸発器として機能する水熱交換器１６と熱交換可能に設けられており、ここで、上記戻り管１２から返流される温調水８を加熱又は冷却するようにしている。そして、この熱交換路１３の先端が膨張タンク７の底部に接続されている。複数の床暖房パネル２Ａ，２Ｂ，２Ｃの温調水循環パイプ１１を流通した温調水８は、温調水戻り配管３ｂを通って戻りヘッダ６に流入し、この戻りヘッダ６によって各温調水戻り配管３ｂを流通する温調水８が合流されて戻り管１２に供給され、さらに上記熱交換路１３で加熱された後、膨張タンク７に供給される。このとき上記戻り管１２には、温度検知手段である戻り温度検知サーミスタ３５が、また上記水熱交換器１６には、水熱交温度検知サーミスタ３６が取付けられている。
【００３７】
次に冷媒系統について説明する。なお以下においては、暖房運転時を例にしてその説明を行っている。本実施の形態では温調水８の加熱に水熱交換器１６を使用し、この水熱交換器１６と、マルチ型のヒートポンプシステムの室外機１７の室外熱交換器１９（空気熱交換器）との間で冷媒循環回路を構成して、熱交換路１３を流れる温調水８を加熱するようにしている。
【００３８】
また、このヒートポンプシステムの室外機１７に接続された１台の室内ユニット１８を備えており、室外機１７と室内ユニット１８によって空気調和機を構成している。この空気調和機では、冷媒が循環可能な順序で、圧縮機２１、室内ファン２０ａを付設した室内熱交換器２０、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されている。そして、上記吸入管２１ｂにアキュムレータ３１が介設される。一方、上記吐出管２１ａには、吐出管温度検知サーミスタ３８が付設されている。また、上記四路切換弁２３の一対の２次ポートの間には第１ガス管２４ａ、室内熱交換器２０、第１液管２４ｂ、減圧機構２２、第２液管２４ｃ、室外熱交換器１９及び第２ガス管２４ｄが、順番に環状に接続されている。このとき、上記室内熱交換器２０と室外熱交換器１９には、それぞれ室内熱交温度検知サーミスタ４３と室外熱交温度検知サーミスタ４１とが付設されており、さらに上記室内ユニット１８と室外機１７には、室内温度検知サーミスタ４４と外気温度検知サーミスタ４２とがそれぞれ取付けられている。
【００３９】
また上記第１液管２４ｂには、上記温調水ユニット１内に設けられた各ヘッダ４、６と同様の略筒状のヘッダ２６が介設されており、このヘッダ２６と室内熱交換器２０とを結ぶ間の部分が連絡配管２５の液管２５ａとなる。同様に上記第１ガス管２４ａにも略筒状のヘッダ２７が介設されており、このヘッダ２７と室内熱交換器２０とを結ぶ間の部分が連絡配管２５のガス管２５ｂとなる。そして、上記ヘッダ２６に接続されたもう１つの連絡配管２８である液管２８ａが、温調水ユニット１の水熱交換器１６の一端に接続され、また上記ヘッダ２７に接続されたもう１つの連絡配管２８であるガス管２８ｂが、水熱交換器１６の他端に接続されている。これによって、四路切換弁２３には室外熱交換器１９、減圧機構２２、温調水ユニット１の水熱交換器１６が環状に接続されることになる。また、連絡配管２５、２８の各液管２５ａ、２８ａはそれぞれ電動膨張弁２９、３０を介してヘッダ２６に接続されており、この電動膨張弁２９、３０の開閉を適宜制御することによって、室内ユニット１８及び温調水ユニット１の両方に供給する冷媒量を制御できるように成っている。ここで、上記液管２５ａの室内ユニット１８側と、液管２８ａの温調水ユニット１側には、それぞれ液管温度検知サーミスタ３９、３７が付設されており、上記ガス管２５ｂ、２８ｂの室外機１７側には、それぞれガス管温度検知サーミスタ４０ａ、４０ｂが付設されている。
【００４０】
なお、室外機１７に設けた電装品等で構成される制御装置３２には、電源から例えば２００Ｖ、２０Ａの電力が供給され、室外機１７内の電気的制御が行われる。また、上記床暖房装置１００には、室内の冷暖房運転の開始や停止等の操作を行うためのワイヤレスリモコン４５と、床の冷暖房に対して同様の操作を行うためのワイヤードリモコン４６とがそれぞれ設けられている。なおこれら各リモコン４５、４６によって、利用者が希望する室温、床温等の設定も行われる。
【００４１】
さらに、この室外機１７の制御装置３２と室内ユニット１８に設けた制御装置３４、及び上記室外機１７の制御装置３２と温調水ユニット１に設けた制御装置３３とは、それぞれ信号・電源線で接続されている。このため、空気調和機と温調水ユニット１とを連動させる設定が利用者によって行われると、例えばワイヤレスリモコン４５における運転開始操作で、空気調和機と温調水ユニット１とを併用した運転を開始させることも可能である。
【００４２】
ここで、床暖房装置１００の運転を行うためのワイヤードリモコン４６は、室内の内壁等に設置され、例えば、液晶画面からなる表示部４６Ａと、複数のボタンからなる操作部４６Ｂと、リモコン制御部４６Ｃと、を有している。尚、図４に当該ワイヤードリモコン４６の外観図を示す。図４に示すように、リモコン本体の前面における上部に表示部４６Ａが配置され、表示部４６Ａの下方に操作部４６Ｂが配置されている。また、操作部４６Ｂには、中央に設けられた中央ボタンＣの周りを囲むように、上ボタンＵ、下ボタンＤ、左ボタンＬ、右ボタンＲ等が設けられている。
リモコン制御部４６Ｃは、温調水ユニット１の制御装置３３及びこれに接続されている室外ユニット５０の制御装置３２との間で情報を双方向に伝達可能に接続されている。そして、操作部４６Ｂの手動操作や室外ユニット５０からの信号等に基づいて、表示部４６Ａに所定の画面を表示させるように当該表示部４６Ａを制御したり、室外ユニット５０に対して所定の制御信号を送信したりすることが可能である。尚、室温を検出するための検出装置等をワイヤードリモコン４６に搭載することで、当該検出された室温に基づいて室外ユニット５０を制御することができる。
【００４３】
尚、本実施形態において室外機１７の制御装置３２と温調水ユニット１の制御装置３３とは、別々に配置されているが、この場合に限らない。例えば、制御装置３２の機能と、制御装置３３の機能との両方の機能を備える制御装置を室外機１７に配置した構成であってもよい。
【００４４】
次に上記床暖房装置１００及び空気調和機の各運転動作について説明する。このシステムでは、上記したようにリモコン等からの指示に基づいて、冷房運転又は暖房運転が可能である。そこで、まず室内の冷房運転のみを行う場合には、温調水ユニット１側の電動膨張弁２９を閉じた状態において、四路切換弁２３を図１に示す実線方向とは逆方向に切り換え、圧縮機２１を駆動する。すると冷媒が圧縮機２１から順に室外熱交換器１９、減圧機構２２、室内熱交換器２０と流通し、室外熱交換器１９が凝縮器として機能すると共に、室内熱交換器２０が蒸発器として機能し、これによって、冷房運転を行うことができる。
【００４５】
一方、室内の暖房運転のみを行う場合には、温調水ユニット１側の電動膨張弁２９を小開度に維持した状態において、四路切換弁２３を図１に示す実線方向に切り換え、圧縮機２１を駆動する。すると冷媒が圧縮機２１から順に室内熱交換器２０、減圧機構２２、室外熱交換器１９と流通し、室外熱交換器１９が蒸発器として機能すると共に、室内熱交換器２０が凝縮器として機能し、これによって、暖房運転を行うことができる。
【００４６】
また、床暖房運転のみを行う場合には、上記室内ユニット１８側の電動膨張弁３０を小開度に維持し、温調水ユニット１側の電動膨張弁２９を開いた状態において、圧縮機２１を駆動し、水熱交換器１６を凝縮器として機能させると共に、室外熱交換器１９を蒸発器として機能させる。そして、この状態で上記温調水ユニット１内の循環ポンプを駆動する。すると、膨張タンク７内の温調水８が往き管１０内に流出し、温調水配管３及び温調水循環パイプ１１を介して戻り管１２に返流され、次いで熱交換路１３を流通する。このとき凝縮器として機能している水熱交換器１６によって、上記熱交換路１３を流れる温調水８が加熱され、その後、膨張タンク７内へと供給される。そしてこのような運転を継続して行うことによって、床暖房運転を行うことができる。また本実施の形態においては、主に床暖房について述べているが、上記室外熱交換器１９を凝縮器として機能させると共に、水熱交換器１６を蒸発器として機能させれば、温調水８が冷却されるため、これによって床冷房運転を行うこともできる。さらに上記室内ユニット１８と温調水ユニット１との両側の電動膨張弁２９、３０を両方とも開とすることにより、室内と床との冷暖房を同時に行うことも可能である。
【００４７】
尚、本実施形態に係る床暖房装置１００は、循環液として、水だけでなく、当該水よりも凝固点が低く凍りにくい不凍液を用いることができる。不凍液としては、例えば、主成分がプロピレングリコールやエチレングリコール等からなる液体が用いられる。そして、使用する循環液の種類に合わせて所定の設定をすることにより、室外ユニット５０の制御装置３２及び制御装置３３は、より運転効率がよくなるように、室外ユニット５０を構成する機構を制御することができる。
【００４８】
また、床暖房パネル２Ａ，２Ｂ，２Ｃとしては、様々な種類のパネルを用いることができる。例えば、床材と分離した床暖房パネルや、床材と一体に形成された床暖房パネル等を選択して用いることができる。そして、床暖房パネルや床材の種類に合わせて所定の設定をすることにより、室外ユニット５０の制御装置３２，３３は、よりユーザーが快適になるように、室外ユニット５０を構成する機構を制御することができる。具体的には、例えば、実際に使用する床暖房パネルの種類、大きさ、床材の材質、厚さ等により、床暖房パネル内を通過する配管から床表面までの熱の伝わり方が異なるため、制御装置３２，３３は、設定された床暖房パネルの種類等に基づいて適切に温調水の温度制御を行うことができる。
【００４９】
床暖房パネル２Ａ，２Ｂ，２Ｃは、それぞれ、熱動弁１５Ａ，１５Ｂ，１５Ｃが介設された配管に対して接続されており、当該床暖房パネル２Ａ，２Ｂ，２Ｃに対して、それぞれ、熱動弁１５Ａ，１５Ｂ，１５Ｃを介して、水熱交換器１６における冷媒との熱交換により温調された温調水を循環供給することができる。具体的には、制御装置３２，３３により、ユーザーによるワイヤードリモコン４６の操作、室内の温度、温調水の温度、外気の温度等に基づいて、圧縮機２１や減圧機構２２等の冷媒循環回路が制御され、水熱交換器１６を介して温調水が温調されるとともに、循環ポンプ９、熱動弁１５Ａ，１５Ｂ，１５Ｃ等が制御され、床暖房パネル２Ａ，２Ｂ，２Ｃへの当該温調水の供給流量の制御が行われる。
【００５０】
尚、本実施形態においては、床暖房パネル２Ａ，２Ｂ，２Ｃへの温調水の供給を制御する開閉弁として熱動弁１５Ａ，１５Ｂ，１５Ｃ，１５Ｄを用いる場合について説明しているが、この場合に限らず、電磁弁などの開閉弁を用いた構成としてもよい。
【００５１】
また、本実施形態においては、３つの床暖房パネル２Ａ，２Ｂ，２Ｃを室外ユニット５０に接続した場合について説明しているが、この場合に限らず、熱動弁１５Ｄが介設されている配管１４ｄを利用することで、最大４つの床暖房パネルを接続可能である。
【００５２】
［据付時の初期設定］
次に、床暖房装置１００がユーザー宅に据え付けられたときに、例えば据付作業者によりリモコン４６を用いて行われる初期設定方法について説明する。図２は、初期設定の流れを示すフローチャートである。
【００５３】
据付完了後に電源を投入すると、まず、表示部４６Ａに初期設定警告画面が表示される（ステップ２０１、以下Ｓ２０１と称する。他のステップも同様に称する）。
この初期設定警告画面は、例えば、「初期設定を行います。販売店または専門業者の方が設定してください。お客様は変更しないでください。」等の注意を喚起する警告文章が表示される画面である。
【００５４】
表示部４６Ａに初期設定警告画面が表示された状態で、操作部４６Ｂにより次に進むための操作（例えば、所定のボタンを押す等）が行われると、表示部４６Ａに初期設定確認画面が表示される（Ｓ２０２）。
この初期設定確認画面は、例えば、「販売店または専門業者の方ですか？」等の文章が表示されるとともに、リモコン４６の操作部４６Ｂの操作により、『はい』又は『いいえ』の選択が可能な画面である。表示部４６Ａは、操作部４６Ｂが操作されて、『はい』又は『いいえ』が選択されるまで、当該画面を表示して待機状態となる。
【００５５】
リモコン４６の操作部４６Ｂの操作（外部入力）がなされた場合は、リモコン制御部４６Ｃにより、以下の判断が行われ、表示部４６Ａには所定の画面が表示される。
操作部４６Ｂの操作により、『はい』が選択された場合は（Ｓ２０３：ＹＥＳ）、表示部４６Ａに初期設定画面が表示される（Ｓ２０４）。
一方、操作部４６Ｂの操作により、『いいえ』が選択された場合は（Ｓ２０３：ＮＯ）、表示部４６Ａに、再度、初期設定警告画面が表示される（Ｓ２０１）。
【００５６】
初期設定画面は、（１）『パネル種類設定』、（２）『循環液設定』、（３）『ゾーン設定』、（４）『給水運転』の項目、及び（５）『試運転』の項目が表示された画面である。この初期設定画面が表示部４６Ａに表示された状態において、操作部４６Ｂの操作により、『パネル種類設定』、『循環液設定』、『ゾーン設定』、『給水運転』のいずれかの項目を選択することで、床暖房装置１００の初期設定を行うことができる。尚、初期設定の項目は、上記４つの項目に限らず、他の設定項目が含まれていてもよい。
【００５７】
以下、初期設定画面にて、操作部４６Ｂの操作により、『試運転』以外の所定の項目が選択されたときの各設定内容について説明する（Ｓ２０５：ＮＯ→Ｓ２０６）。
【００５８】
（１）パネル種類設定
初期設定画面において、『パネル種類設定』が選択された場合は、表示部４６Ａにパネル種類設定画面が表示される。
このパネル種類設定画面は、床暖房パネルの種類を示す項目が複数表示された画面であり、操作部４６Ｂの操作により、いずれかの種類を選択することができる。例えば、表示部４６Ａには、『タイプ１』、『タイプ２』、『タイプ３』、・・・等の項目が表示され、別途、据付説明書等に、それぞれのタイプに対応する床暖房パネルの型番等が記載されている。据付作業者は、室外ユニット５０に接続される床暖房パネルのタイプを据付説明書等で確認して、対応するタイプをパネル種類設定画面に表示される項目から選択することになる。
【００５９】
いずれかの種類を選択すると、確定確認画面が表示される。この確定確認画面は、例えば、「設定を確定しますか？」という確認文章が表示されるとともに、操作部４６Ｂの操作により、『はい』又は『いいえ』のいずれかを選択可能な画面である。
【００６０】
操作部４６Ｂの操作により『はい』が選択された場合は、リモコン制御部４６Ｃから室外ユニット５０の制御装置３２，３３へ、選択された床暖房パネルの種類に応じた制御信号が送信され、床暖房パネルの種類の設定が行われたことが制御装置３２，３３が備える記憶部に記憶される。これにより、制御装置３２，３３は、選択された床暖房パネルの種類に応じた室外ユニット５０の制御を行うことになる。また、表示部４６Ａに、初期設定画面が再表示される。尚、再表示された初期設定画面において、『パネル種類設定』の表示の先頭に、既に設定がなされたことを示すチェックが併せて表示される。これにより、据付作業者等は、初期設定画面において、既に設定が完了しているか否かを一目で確認できる。
【００６１】
一方、『いいえ』が選択された場合は、パネル種類設定画面が再表示され、再度、床暖房パネルの種類の選択が可能になる。
【００６２】
（２）循環液設定
初期設定画面において、『循環液設定』が選択された場合は、表示部４６Ａに循環液設定画面が表示される。
この循環液設定画面は、設定できる循環液の種類を示す項目が表示された画面である。例えば、『水道水』及び『不凍液』の項目が表示される。そして、操作部４６Ｂの操作により、いずれかの項目を選択することができる。いずれかの項目を選択すると、確定確認画面が表示される。この確定確認画面は、例えば、「設定を確定しますか？」という確認文章が表示されるとともに、操作部４６Ｂの操作により、『はい』又は『いいえ』のいずれかを選択可能な画面である。
【００６３】
操作部４６Ｂの操作により『はい』が選択された場合は、リモコン制御部４６Ｃから室外ユニット５０の制御装置３２，３３へ、選択された循環液の種類に応じた制御信号が送信され、循環液の種類の設定が行われたことが、制御装置３２，３３が備える記憶部に記憶される。これにより、制御装置３２，３３は、選択された循環液の種類に応じた室外ユニット５０の制御を行うことになる。また、表示部４６Ａに、初期設定画面が再表示される。尚、再表示された初期設定画面において、『循環液設定』の表示の先頭に、既に設定がなされたことを示すチェックが併せて表示される。これにより、据付作業者等は、初期設定画面において、既に設定が完了しているか否かを一目で確認できる。
【００６４】
一方、『いいえ』が選択された場合は、循環液設定画面が再表示され、再度、循環液の種類の選択が可能になる。
【００６５】
（３）ゾーン設定
初期設定画面において、『ゾーン設定』が選択された場合は、表示部４６Ａにゾーン設定画面が表示される。
このゾーン設定画面は、床暖房パネル２Ａ，２Ｂ，２Ｃと、熱動弁１５Ａ，１５Ｂ，１５Ｃ，１５Ｄとの対応関係を設定するための画面である。本実施形態における当該対応関係とは、具体的には、床暖房パネル２Ａ，２Ｂ，２Ｃが設置される場所（ゾーン）と熱動弁１５Ａ，１５Ｂ，１５Ｃ，１５Ｄとの対応を示す関係をいう。
【００６６】
このゾーン設定においては、各熱動弁１５Ａ，１５Ｂ，１５Ｃ，１５Ｄに対して設定できるゾーンの単位は、ユーザーの使用態様等に合わせて適宜決定される。
【００６７】
例えば、３つの床暖房パネル２Ａ，２Ｂ，２Ｃでカバーされる所定のフロア範囲をそれぞれゾーンＡ，ゾーンＢ，ゾーンＣとして、ゾーン設定を行うことができる。この場合は、熱動弁１５ＡとゾーンＡとが対応付けられ、熱動弁１５ＢとゾーンＢとが対応付けられ、熱動弁１５ＣとゾーンＣとが対応付けられるように、リモコン４６の操作部４６Ｂの操作により設定されることになる。尚、熱動弁１５Ｄには、床暖房パネルが接続されていない旨の設定（以下、ブランク設定と称する）がなされることになる。
【００６８】
また、３つの床暖房パネル２Ａ，２Ｂ，２Ｃでカバーされる部屋をゾーン単位とすることもできる。例えば、リビングに床暖房パネル２Ａ，２Ｂが設置され、子供部屋に床暖房パネル２Ｃが設置されている場合に、リビングをゾーンＡ、子供部屋をゾーンＢとして、ゾーン単位を定めてゾーン設定を行うことができる。この場合は、熱動弁１５ＡとゾーンＡとが対応付けられ、熱動弁１５ＢとゾーンＡとが対応付けられ、熱動弁１５ＣとゾーンＢとが対応付けられるように、リモコン４６の操作部４６Ｂの操作により設定されることになる。尚、熱動弁１５Ｄには、ブランク設定がなされることになる。
【００６９】
ゾーン設定画面は、全ての熱動弁に対してのゾーンの設定状態が視認できるような表示がなされており、操作部４６Ｂの操作により、当該ゾーンの設定状態を適宜変更することができる。そして、操作部４６Ｂで次の画面に移るための操作（例えば、操作部４６Ｂの決定ボタンを押す等の操作）が行われると、床暖房パネルが接続されていない熱動弁（非接続開閉弁）に対してゾーンの設定がなされていないか否かがリモコン制御部４６Ｃにより判断される。また、床暖房パネルが接続されている熱動弁に対してブランク設定がなされていないか否かも併せてリモコン制御部４６Ｃにより判断される。
【００７０】
本実施形態においては、熱動弁１５Ｄには、床暖房パネルが接続されていないので、当該熱動弁１５Ｄにゾーンが設定されている場合は、表示部４６Ａに、床暖房パネルが接続されていない熱動弁にゾーンが設定されている旨の対応警告画面が表示される。また、熱動弁１５Ａ，１５Ｂ，１５Ｃには、それぞれ、床暖房パネル２Ａ，２Ｂ，２Ｃが接続されているので、これらの熱動弁１５Ａ，１５Ｂ，１５Ｃにブランク設定がなされいる場合は、床暖房パネルが接続されている熱動弁に対してブランク設定がなされている旨の対応警告画面が表示される。対応警告画面が表示された後、再度、ゾーン設定画面が表示される。
【００７１】
尚、リモコン制御部４６Ｃによる、床暖房パネルが接続されていない熱動弁に対してゾーンの設定がなされていないか否か、又、床暖房パネルが接続されている熱動弁に対してブランク設定がなされていないか否かの判断は、次のようにして行うことが可能である。例えば、配管１４ａ，１４ｂ，１４ｃ，１４ｄにそれぞれ、床暖房パネルの配管が接続されたことを検知する検知センサを設置する。そして、当該検知センサによる検出結果と、リモコン４６により入力されたゾーン設定のデータとを比較して判断することができる。
【００７２】
一方、床暖房パネルが接続されていない熱動弁に対してはブランク設定がなされており、且つ、床暖房パネルが接続している全ての熱動弁に対してゾーンの設定がなされている場合は、表示部４６Ａに確定確認画面が表示される。この確定確認画面は、例えば、「設定を確定しますか？」という確認文章が表示されるとともに、操作部４６Ｂの操作により、『はい』又は『いいえ』のいずれかを選択可能な画面である。
【００７３】
操作部４６Ｂの操作により『はい』が選択された場合は、リモコン制御部４６Ｃから室外ユニット５０の制御装置３２，３３へ、決定されたゾーン設定に応じた制御信号が送信され、床暖房パネル２Ａ，２Ｂ，２Ｃと熱動弁１５Ａ，１５Ｂ，１５Ｃ，１５Ｄとの対応関係の設定が行われたことが、制御装置３２，３３が備える記憶部に記憶される。これにより、制御装置３２，３３は、決定されたゾーン設定に応じた室外ユニット５０の制御を行うことになる。また、表示部４６Ａに、初期設定画面が再表示される。尚、再表示された初期設定画面において、『ゾーン設定』の表示の先頭に、既に設定がなされたことを示すチェックが併せて表示される。これにより、据付作業者等は、初期設定画面において、既に設定が完了しているか否かを一目で確認できる。
【００７４】
一方、『いいえ』が選択された場合は、ゾーン設定画面が再表示され、再度、ゾーンの設定が可能になる。
【００７５】
（４）給水運転
初期設定画面において、『給水運転』が選択された場合は、表示部４６Ａに給水運転開始画面が表示される。
この給水運転開始画面は、給水運転を開始する旨を示す画面である。操作部４６Ｂで次の画面に移るための操作が行われると水入れ画面が表示される。
この水入れ画面は、当該画面を見た人に、室外ユニット５０が備える循環液用の膨張タンク７に水を入れるように指示する画面である。そして、操作部４６Ｂで次の画面に移るための操作が行われると、給水ポンプ運転画面が表示される。
この給水ポンプ運転画面は、循環ポンプ９の運転を開始する旨や、給水運転に要する時間等が表示される。そして、操作部４６Ｂで次の画面に移るための操作が行われると、循環ポンプ９が駆動され、給水運転中タイマー表示画面が表示される。これにより、室外ユニット５０から床暖房装置１００の運転に必要な循環液が床暖房パネル２Ａ，２Ｂ，２Ｃの温調水循環パイプ１１に循環液が供給され、当該温調水循環パイプ１１に循環液が満たされる。
この給水運転中タイマー表示画面は、給水運転中の表示、給水運転の残り時間の表示、及び、循環液用の膨張タンク７内の水位が下がるため循環液を追加すべき旨の表示等がなされる画面である。所定の給水運転が終了し、循環ポンプ９が駆動が停止すると、給水運転完了確認画面が表示される。
この給水運転完了確認画面は、給水運転が終了した旨の表示がなされるとともに、循環液用の膨張タンク７内の水位が十分かどうかを確認する表示がなされ、操作部４６Ｂの操作により、『はい』、『いいえ』を選択可能な画面である。この画面において、『はい』が選択された場合は、給水運転完了画面が表示される。『いいえ』が選択された場合は、循環液を追加すべき旨の表示がなされ、再度給水運転完了確認画面が表示される。
給水運転完了画面は、循環液用の膨張タンク７の蓋が適切に閉められているか等を確認する表示がなされる画面である。操作部４６Ｂで次の画面に移るための操作が行われると、リモコン４６のリモコン制御部４６Ｃから室外ユニット５０の制御装置３２，３３へ、給水運転を行った旨の制御信号が送信され、給水運転を行ったことが、制御装置３２，３３が備える記憶部に記憶される。そして、表示部４６Ａに、初期設定画面が再表示される。尚、再表示された初期設定画面において、『給水運転』の表示の先頭に、既に給水運転がなされたことを示すチェックが併せて表示される。これにより、据付作業者等は、初期設定画面において、既に給水運転が完了しているか否かを一目で確認できる。
【００７６】
初期設定画面にて、操作部４６Ｂの操作により、『試運転』の項目が選択された場合は、（Ｓ２０５：ＹＥＳ）、『パネル種類設定』、『循環液設定』、『ゾーン設定』、『給水運転』の項目を選択して行う初期設定が全て完了しているか否かが判断される（Ｓ２０７）。
少なくともいずれか一つの設定がなされていない場合は（Ｓ２０７：ＮＯ）、「試運転できません．初期設定を完了してください」という画面（初期設定不可画面）が表示され、その後、初期設定画面を表示した状態に移行される（Ｓ２０４）。即ち、この場合は、試運転に進むことはできない。尚、試運転を行わなければ、後述するユーザー操作画面が表示されず、リモコン操作による床暖房装置１００の運転を行うことはできない。
一方、全ての設定がなされている場合は（Ｓ２０７：ＹＥＳ）、試運転が開始されるとともに、試運転中であること示す試運転中画面が表示される。そして、所定時間の試運転が終了するとユーザー操作画面が表示される（Ｓ２０８）。
このユーザー操作画面が表示された状態においては、ユーザーがリモコン４６を操作して、床暖房装置１００を自由に運転することができる。
【００７７】
以上説明したように、本実施形態に係る床暖房装置１００は、循環液が供給されて温調される床暖房パネル２Ａ，２Ｂ，２Ｃと、床暖房パネル２Ａ，２Ｂ，２Ｃに対して熱動弁１５Ａ，１５Ｂ，１５Ｃを介して、温調された循環液を循環供給する室外ユニット５０と、室外ユニット５０に対して所定の制御信号を送信可能なリモコン４６と、を備える。そして、室外ユニット５０の運転は、リモコン４６の操作により行われる床暖房パネル２Ａ，２Ｂ，２Ｃの種類の初期設定に基づいて制御される。そして、床暖房装置１００の据付後に、床暖房パネル２Ａ，２Ｂ，２Ｃの種類の初期設定がなされていない場合は、室外ユニット５０の試運転ができなくなるように制御されている。
【００７８】
この構成によると、リモコン４６の操作部４６Ｂの操作により床暖房パネル２Ａ，２Ｂ，２Ｃの種類について初期設定を行うことができる。そして、設定された床暖房パネル２Ａ，２Ｂ，２Ｃの種類に応じて室外ユニット５０の作動を制御することができる。これにより、使用する床暖房パネル２Ａ，２Ｂ，２Ｃの種類に合わせて、効率が良くなるような運転や、ユーザーの快適性が向上するような運転を行うことが可能になる。
【００７９】
更に、床暖房装置１００の据付後に、床暖房パネル２Ａ，２Ｂ，２Ｃの種類の初期設定がなされていない場合は、室外ユニット５０の試運転ができなくなるように制御されているので、ユーザーによる運転前に、確実に、床暖房パネル２Ａ，２Ｂ，２Ｃの種類の初期設定を行うことが可能になる。その結果、効率の良い運転や、快適性の高い運転が確実に行われるようになる。
【００８０】
また、室外ユニット５０の運転は、リモコン４６の操作により行われる循環液の種類の初期設定に基づいて制御されるとともに、床暖房装置１００の据付後に、循環液の種類の初期設定がなされていない場合は、室外ユニット５０の試運転ができなくなるように制御されている。
【００８１】
この構成によると、リモコン４６の操作部４６Ｂの操作により循環液の種類について初期設定を行うことができる。そして、設定された循環液の種類に応じて室外ユニット５０の作動を制御することができる。これにより、使用する循環液の種類に合わせて、効率が良くなるような運転や、ユーザーの快適性が向上するような運転を行うことが可能になる。
【００８２】
更に、床暖房装置１００の据付後に、循環液の種類の初期設定がなされていない場合は、室外ユニット５０の試運転ができなくなるように制御されるので、ユーザーによる運転前に、確実に、循環液の種類の初期設定を行うことが可能になる。その結果、効率の良い運転や、快適性の高い運転が確実に行われるようになる。
【００８３】
また、室外ユニット５０の運転は、リモコン４６の操作により行われる床暖房パネル２Ａ，２Ｂ，２Ｃと熱動弁１５Ａ，１５Ｂ，１５Ｃ，１５Ｄとの対応関係の初期設定に基づいて制御されるとともに、床暖房装置１００の据付後に、前記対応関係の初期設定がなされていない場合は、室外ユニット５０の試運転ができなくなるように制御されている。
【００８４】
この構成によると、リモコン４６の操作部４６Ｂの操作により床暖房パネル２Ａ，２Ｂ，２Ｃと熱動弁１５Ａ，１５Ｂ，１５Ｃ，１５Ｄとの対応関係について初期設定を行うことができる。そして、設定された前記対応関係に基づいて室外ユニット５０の作動を制御することができる。
【００８５】
更に、床暖房装置１００の据付後に、前記対応関係の初期設定がなされていない場合は、室外ユニット５０の試運転ができなくなるように制御されているので、ユーザーによる運転前に、確実に初期設定を行うことが可能になる。その結果、ユーザーの意図に反して床暖房装置１００が作動することを防ぐことができる。
【００８６】
また、床暖房パネル２Ａ，２Ｂ，２Ｃと熱動弁１５Ａ，１５Ｂ，１５Ｃ，１５Ｄとの対応関係の初期設定の際に、床暖房パネルに接続されていない熱動弁１５Ｄに対して床暖房パネルが接続されていることを示す対応関係が設定された場合は、リモコン４６の表示部４６Ａに警告画面が表示される。
【００８７】
この構成によると、据付作業者が誤って熱動弁１５Ｄに対して床暖房パネルが接続されていることを示す対応関係の設定をした場合には、警告画面が表示されるので、据付作業者は、当該誤りに容易に気づくことができる。これにより、熱動弁１５Ａ，１５Ｂ，１５Ｃ，１５Ｄと床暖房パネル２Ａ，２Ｂ，２Ｃとのより正確な対応関係が設定されるため、ユーザーの意図に反して床暖房装置１００が作動することをより確実に防ぐことができる。
【００８８】
また、室外ユニット５０は、当該室外ユニット５０から床暖房装置１００の運転に必要な循環液を床暖房パネル２Ａ，２Ｂ，２Ｃに供給するための給水運転をリモコン４６を操作しながら行うものであって、床暖房装置１００の据付後に、給水運転がなされていない場合は、室外ユニット５０の試運転ができなくなるように制御されている。
【００８９】
この構成によると、ユーザーによる運転前に、確実に給水運転を行うことが可能になる。その結果、ユーザーによる運転前に、確実に床暖房パネルに循環液を供給しておくことが可能になる。これにより、適切な運転ができずにユーザーの快適性が損なわれることを防止することができる。
【００９０】
［初期設定の変更］
次に、所定の初期設定が行われ、ユーザーが床暖房装置１００を自由に運転することができるようになった後に、初期設定を変更する場合について説明する。尚、本実施形態に係る床暖房装置１００においては、リモコン４６の操作により、付加機能の設定やメンテナンス情報を表示部４６Ａに表示させることが可能である。これらの設定、表示方法についても併せて説明する。図３は、初期設定を変更するための流れを示すフローチャートである。
【００９１】
初期設定の変更や付加機能の設定は、ユーザーにより誤って行われると、床暖房装置１００の運転に支障をきたす虞がある。また、メンテナンス情報の表示などは通常であれば、ユーザーが必要とする情報ではない。そのため、予め定められた設定画面表示操作をリモコン４６に対して行った場合のみ、初期設定の変更等が可能なモードに移行可能になっている。設定画面表示操作は、通常であれば、ユーザーが行わないような操作であり、例えば、所定のボタンを２秒間長押しする等の操作である。
【００９２】
ユーザー操作画面にて、設定画面表示操作が行われると、図３に示すフローチャートに従った制御が開始される。以下、図３に示すフローチャートに従って説明する。
【００９３】
設定画面表示操作が行われると、まず、リモコン４６の表示部４６Ａに警告画面（設定警告画面）が表示される（Ｓ３０１）。この警告画面は、リモコン４６を操作する人が、ユーザーではなく、専門業者又はサービスマンであるかどうかを確認する旨が表示される画面である。
【００９４】
表示部４６Ａに警告画面が表示された状態で、操作部４６Ｂにより次に進むための操作（例えば、所定のボタンを押す等）が行われると、表示部４６Ａに第１確認画面（設定警告画面）が表示される（Ｓ３０２）。
この第１確認画面は、初期設定の変更を行うことを意図しているのかどうかを確認する表示、例えば、「専門業者による初期設定の変更ですか？」等の表示がなされるとともに、リモコン４６の操作部４６Ｂの操作により、『はい』又は『いいえ』の選択が可能な画面である。
【００９５】
第１確認画面において、操作部４６Ｂの操作により、『はい』が選択された場合は（Ｓ３０３：ＹＥＳ）、表示部４６Ａに第２確認画面（設定警告画面）が表示される（Ｓ３０４）。
この第２確認画面は、例えば、「専門業者ですか？」等の文章が表示されるとともに、リモコン４６の操作部４６Ｂの操作により、『はい』又は『いいえ』の選択が可能な画面である。
【００９６】
第２確認画面において、操作部４６Ｂの操作により、『はい』が選択された場合は（Ｓ３０５：ＹＥＳ）、表示部４６Ａに初期設定画面が表示され（Ｓ３０６）、リモコン４６の操作により初期設定の変更が可能になる。尚、Ｓ３０６〜Ｓ３１０の内容は、Ｓ２０４〜Ｓ２０８と同様であるため、説明は省略する。
【００９７】
一方、第２確認画面において、操作部４６Ｂの操作により、『いいえ』が選択された場合は（Ｓ３０５：ＮＯ）、ユーザーによる誤操作と判断して、初期設定の変更がなされることなく、表示部４６Ａにユーザー操作画面が表示される（Ｓ３１０）。これにより、床暖房装置１００は、ユーザーがリモコン４６を操作して運転できる状態になる。
【００９８】
次に、第１確認画面において、操作部４６Ｂの操作により、『いいえ』が選択された場合（Ｓ３０３：ＮＯ）について説明する。
この場合は、表示部４６Ａに第３確認画面が表示される（Ｓ３１１）。
この第３確認画面は、付加機能の設定やメンテナンス情報の表示を行うことを意図しているのかどうかを確認する表示、例えば、「サービスマンによるサービスマンモードですか？」等の表示がなされるとともに、リモコン４６の操作部４６Ｂの操作により、『はい』又は『いいえ』の選択が可能な画面である。
【００９９】
第３確認画面において、操作部４６Ｂの操作により、『はい』が選択された場合は（Ｓ３１２：ＹＥＳ）、表示部４６Ａに第４確認画面が表示される（Ｓ３１３）。
この第４確認画面は、例えば、「サービスマンですか？」等の文章が表示されるとともに、リモコン４６の操作部４６Ｂの操作により、『はい』又は『いいえ』の選択が可能な画面である。
【０１００】
第４確認画面において、操作部４６Ｂの操作により、『はい』が選択された場合は（Ｓ３１４：ＹＥＳ）、表示部４６Ａに付加機能の設定やメンテナンス情報の表示を行うためのサービスマンモード画面が表示される（Ｓ３１５）。このサービスマンモード画面には、選択することで付加機能の設定やメンテナンス情報の表示等を行うことができる複数の項目や、サービスを完了して通常の床暖房装置１００の運転に移行させるためのサービス完了の項目等が表示される。このサービスマンモード画面にて、サービス完了の項目が選択されると（Ｓ３１６：ＹＥＳ）、ユーザー操作画面が表示され（Ｓ３１０）、床暖房装置１００は、ユーザーがリモコン４６を操作して運転できる状態になる。その他の項目が選択された場合は（Ｓ３１６：ＮＯ）、付加機能の設定が可能となり、また、メンテナンス情報の表示等がなされ（Ｓ３１７）、その後、再度サービスマンモード画面に戻る（Ｓ３１５）。
【０１０１】
一方、第３確認画面、又は、第４確認画面において、操作部４６Ｂの操作により、『いいえ』が選択された場合は（Ｓ３１２又はＳ３１４：ＮＯ）、ユーザーによる誤操作と判断して、付加機能の設定やメンテナンス情報の表示等がなされることなく、表示部４６Ａにユーザー操作画面が表示される（Ｓ３１０）。これにより、床暖房装置１００は、ユーザーがリモコン４６を操作して運転できる状態になる。
【０１０２】
以上説明したように、本実施形態に係る床暖房装置１００は、例えば、所定のボタンを２秒間長押しする等の設定画面表示操作をリモコン４６に対して行うことにより、床暖房装置１００の据付後に行った初期設定の変更が可能である。また、前記設定画面表示操作を行うと、リモコン４６の表示部４６Ａに警告画面が表示され、その後、リモコン４６の操作により初期設定の変更が可能になる。
【０１０３】
この構成によると、設定画面表示操作を行うことで、リモコン４６で初期設定を変更できる。尚、設定画面表示操作は、所定のボタンを２秒間長押しする等のユーザーが通常行わないようなリモコン４６の操作であるため、ユーザーにより誤って初期設定が変更されることを防止できる。更に、万が一、ユーザーが設定画面表示操作をしてしまった場合においても、警告表示がなされるため、ユーザーに初期設定を変更させるモードであることを気づかせることができ、初期設定を誤って変更してしまうことを防止できる。これにより、床暖房装置１００の運転に支障をきたすことを防止できる。
【０１０４】
また、本実施形態においては、ユーザー操作画面において、リモコンに対して、設定画面表示操作以外の所定の操作を行うことによって、給水運転を行うことができるように構成されている。
【０１０５】
尚、本実施形態においては、設定画面表示操作をリモコン４６に対して行うことにより、初期設定画面が表示され、当該初期設定画面にて、『給水運転』の項目を選択しても、給水運転を行うことが可能になっている。しかしながら、設定画面表示操作をすると、警告画面の表示がなされるとともに、初期設定の変更が可能な状態となるので、当該設定画面表示操作によってのみ給水運転が可能になるようにした場合、給水運転を行うためのリモコン操作が煩雑になりやすい。この点、本実施形態においては、ユーザー操作画面においても、所定のリモコン操作により給水運転が可能になるので、給水運転が必要な場合に、簡単なリモコン操作により給水運転が可能になる。
【０１０６】
［タイマー時刻設定］
次に、タイマー時刻の設定方法について説明する。
本実施形態に係る床暖房装置１００は、リモコン４６で所定の設定を行うことにより、リモコン４６で設定した所定の時刻に自動的に運転を開始させ、リモコン４６で設定した所定の時刻に自動的に運転を停止させることができるように構成されている。
【０１０７】
運転を開始させる時刻（以下、入時刻と称する）、及び、運転を停止させる時刻（以下、切時刻と称する）の設定は、以下のようにして行う。尚、タイマー時刻（入時刻と切時刻）が既に設定されている場合において再設定する場合を例に挙げて説明する。
【０１０８】
まず、予め定められたメニュー画面の表示操作を行い、当該メニュー画面に表示される複数のメニューの中から、タイマー時刻設定を選択する。これにより、タイマー時刻設定モードとなる。このモードにおいて、以下に示すように、タイマー時刻を所望の時刻に変更した後、例えば、中央ボタンＣを押すことにより、タイマー時刻の設定を確定させ、設定されたタイマー時刻に基づいて床暖房装置１００を運転させることができる。
【０１０９】
図５は、タイマー時刻設定モードにおける表示部４６Ａの表示を示す図である。
タイマー時刻設定モードにおいては、表示部４６Ａには図５（ａ）に示すような表示がなされる。図５（ａ）には、既に、２つのタイマー時刻設定がなされている状態を示している。タイマー時刻設定の一つは、入時刻が１０：３０で、切時刻が１２：００で設定され、もう一つは、入時刻が１５：００で、切時刻が２０：００で設定されている。また、図５（ａ）における入時刻の左側に表示されている「Ａ」は、当該タイマー時刻設定に基づいて運転されるゾーン（ゾーン設定において設定したゾーン）を示しており、ゾーン毎にタイマー時刻の設定が可能である。
図５（ａ）に示す設定によれば、床暖房装置１００は、ゾーンＡにて、１０：３０から１２：００まで運転し、１５：００まで停止したのち、再度、２０：００まで運転することになる。
【０１１０】
図５（ａ）に示すように、「１５：００」の表示における「１５」の数字が反転表示されている。このとき、リモコン４６の左ボタンＬ又は右ボタンＲ（図４参照）を押すことで、反転表示を左または右に移動させることができる。尚、反転表示は、”時”の表示、又は、”分”の表示を移動単位として移動する。例えば、「１５：００」の表示における「１５」の数字が反転表示されているときに右ボタンＲを１回押すことで、「１５：００」の「００」の数字が反転表示されることになる。
【０１１１】
本実施形態におけるタイマー時刻の表示は、「１０：３０―１２：００」と「１５：００−２０：００」の上下二段で表示されている。
このとき、下段の表示である「１５：００−２０：００」における最も左側に位置する”時”の表示（「１５」）が反転表示されているときに、左ボタンＬを１回押すと、上段の表示である「１０：３０―１２：００」の最も右側に位置する”分”の表示（「００」）が反転表示されることになる。また、上段の表示である「１０：３０―１２：００」における最も右側に位置する”分”の表示（「００」）が反転表示されているときに、右ボタンＲを１回押すと、下段の表示である「１５：００−２０：００」の最も左側に位置する”時”の表示（「１５」）が反転表示されることになる。
【０１１２】
また、下段の表示である「１５：００−２０：００」における最も右側に位置する”分”の表示（「００」）が反転表示されているときに、右ボタンＲを１回押した場合、または、上段の表示である「１０：３０―１２：００」における最も左側に位置する”時”の表示（「１０」）が反転表示されているときに、左ボタンＬを１回押した場合は、ゾーンの表示である「Ａ」が反転表示されることになる。当該ゾーンの表示が反転表示されているときに、左ボタンＬを１回押せば、下段の表示である「１５：００−２０：００」における最も右側に位置する”分”の表示（「００」）が反転表示される。また、当該ゾーンの表示が反転表示されているときに、右ボタンＲを１回押せば、上段の表示である「１０：３０―１２：００」における最も左側に位置する”時”の表示（「１０」）が反転表示される。
【０１１３】
ここで、ゾーンが反転表示されている状態で、上ボタンＵ又は下ボタンＤを押すことで、ゾーンの表示が変更され、タイマー時刻設定を行うゾーンを選択することができる。
【０１１４】
また、上段の表示（「１０：３０―１２：００」）における入時刻の”時”（「１０」）を、「１２」に変更する場合は、以下のように操作する。
【０１１５】
まず、左ボタンＬ、又は、右ボタンＲを操作して反転表示を移動させ、上段の表示である「１０：３０―１２：００」の「１０」を反転表示とする（図５（ｂ−１）参照）。
この状態で、上ボタンＵを１回押すと、反転表示を含む入時刻（「１０：３０」）の”時”及び”分”の両方が、「--」の表示になる（図５（ｂ−２）参照）。
更に、上ボタンＵを１回押すと、反転表示されている”時”の表示（「--」）が、当該表示（「--」）に変更される直前の表示（「１０」）に１時間加算した表示（「１１」）になるとともに、”分”の表示（「--」）が、当該表示（「--」）に変更される直前の表示（「３０」）に戻る（図５（ｂ−３）参照）。
更に、上ボタンＵを１回押すと、反転表示されている”時”の表示（「１１」）が、１時間加算された表示（「１２」）になる。このとき、”分”の表示（「３０」）は変更されない（図５（ｂ−４）参照）。
【０１１６】
また、上段の表示（「１０：３０―１２：００」）における入時刻の”分”（「３０」）を、「５０」に変更する場合は、以下のように操作する。
【０１１７】
まず、左ボタンＬ、又は、右ボタンＲを操作して反転表示を移動させ、上段の表示である「１０：３０―１２：００」の「３０」を反転表示とする（図５（ｃ−１）参照）。
この状態で、上ボタンＵを１回押すと、反転表示を含む入時刻（「１０：３０」）の”時”及び”分”の両方が、「--」の表示になる（図５（ｃ−２）参照）。
更に、上ボタンＵを１回押すと、反転表示されている”分”の表示（「--」）が、当該表示（「--」）に変更される直前の表示（「３０」）に１０分加算した表示（「４０」）になるとともに、”時”の表示（「--」）が、当該表示（「--」）に変更される直前の表示（「１０」）に戻る（図５（ｃ−３）参照）。
更に、上ボタンＵを１回押すと、反転表示されている”分”の表示（「４０」）が、１０分加算された表示（「５０」）になる。このとき、”時”の表示（「１０」）は変更されない（図５（Ｃ−４）参照）。
【０１１８】
図６は、入時刻及び切時刻の”時”の設定における上ボタンＵ又は下ボタンＤの操作と、表示時刻との関係を示す図である。また、図７は、入時刻及び切時刻の”分”の設定における上ボタンＵ又は下ボタンＤの操作と、表示時刻との関係を示す図である。
【０１１９】
図６において、タイマー時刻設定モードに入ったときに既に設定されている設定時刻（以下、前回設定時刻Ｘと称する）を矢印Ｘで示している。尚、図６は、”時”の表示が、反転表示になっている場合を示している。そして、上ボタンＵを１回押す毎に、図６における前回設定時刻Ｘの表示から上に１段ずつ移行するように表示時刻が変更される。また、下ボタンＤを１回押す毎に、図６における前回設定時刻Ｘの表示から下に１段ずつ移行するように表示時刻が変更される。
【０１２０】
例えば、表示部４６Ａに前回設定時刻Ｘが表示されているときに、上ボタンＵを１回押すことにより、表示時刻は、「--：--」に変更される（図６において矢印Ｙ１で示す）。そして、もう一度上ボタンＵを押すことにより、前回設定時刻Ｘの１時間後の時刻（前回設定時刻Ｘの”時”の値に１時間加算した値）に変更される。その後、上ボタンＵを押す毎に、１時間ずつ追加されるように表示時刻が変更される。
尚、”時”の表示が「２３」の時に上ボタンＵを押した場合は、表示時刻は、「--：--」に変更される（図６において矢印Ｚ１で示す）。そして、更に、上ボタンＵを押すと、表示時刻は、「０：３０」に変更され、その後は、上ボタンＵを押す毎に、１時間ずつ追加されるように表示時刻が変更される。
【０１２１】
また、上ボタンＵを繰り返し押していき、「--：--」の表示（Ｙ１およびＺ１）がなされた後、２回目以降の「１０」の表示（前回設定時刻Ｘに相当する”時”の表示）を通過するとき（当該「１０」の表示から「１１」の表示への変更時）は、「--：--」は表示されない（図６におけるα１部分参照）。尚、当該２回目以降の「１０」の表示にて下ボタンＤを押して「９」の表示に戻る場合も、「--：--」の表示はなされない。これにより、再度「１０」の表示直後に「--：--」が表示される煩わしさをなくすことができる。
【０１２２】
尚、”時”の表示を「０」と「２３」との間で変更する際には、必ず「--：--」の表示がなされるように構成されている。例えば、「--：--」の表示（Ｚ１）がなされた後、更に上ボタンＵを繰り返し押して、再度「２３」の表示を通過する場合には、「--：--」が表示されるように構成される（図６におけるβ１部分参照）。これにより、タイマーの取消を確実に行うことができる。
【０１２３】
同じように、前回設定時刻Ｘの表示のときに、下ボタンＤを１回押すことにより、表示時刻は、「--：--」に変更される（図６において矢印Ｙ２で示す）。そして、もう一度下ボタンＤを押すことにより、前回設定時刻Ｘの１時間前の時刻（前回設定時刻Ｘの”時”の値から１時間減算した値）に変更される。その後、下ボタンＤを押す毎に、１時間ずつ減少するように表示時刻が変更される。
尚、”時”の表示が「０」の時に、下ボタンＤを押した場合は、表示時刻は、「--：--」に変更される（図６において矢印Ｚ２で示す）。そして、更に、下ボタンＤを押すと、表示時刻は、「２３：３０」に変更され、その後は、下ボタンＤを押す毎に、１時間ずつ減少するように表示時刻が変更される。
【０１２４】
また、下ボタンＤを繰り返し押していき、「--：--」の表示（Ｙ２およびＺ２）がなされた後、２回目以降の「１０」の表示（前回設定時刻Ｘに相当する”時”の表示）を通過するとき（当該「１０」の表示から「９」の表示への変更時）は、「--：--」は表示されない（図６におけるα２部分参照）。尚、当該２回目以降の「９」の表示にて上ボタンＵを押して「１０」の表示に戻る場合も、「--：--」の表示はなされない。これにより、再度「１０」の表示直後に「--：--」が表示される煩わしさをなくすことができる。
【０１２５】
尚、”時”の表示を「０」と「２３」との間で変更する際には、必ず「--：--」の表示がなされるように構成されている。例えば、「--：--」の表示（Ｚ２）がなされた後、更に下ボタンＤを繰り返し押して、再度「０」の表示を通過する場合には、「--：--」が表示されるように構成される（図６におけるβ２部分参照）。これにより、タイマーの取消を確実に行うことができる。
【０１２６】
また、図７においても、タイマー時刻設定モードに入ったときに既に設定されている設定時刻（前回設定時刻Ｘ）を矢印Ｘで示している。尚、”分”の表示が、反転表示になっている場合を示している。そして、上ボタンＵを１回押す毎に、図７における前回設定時刻Ｘの表示から上に１段ずつ移行するように表示時刻が変更される。また、下ボタンＤを１回押す毎に、図７における前回設定時刻Ｘの表示から下に１段ずつ移行するように表示時刻が変更される。
【０１２７】
例えば、表示部４６Ａに前回設定時刻Ｘが表示されているときに、上ボタンＵを１回押すことにより、表示時刻は、「--：--」に変更される（図７において矢印Ｙ３で示す）。そして、もう一度上ボタンＵを押すことにより、前回設定時刻Ｘの１０分後の時刻（前回設定時刻Ｘの”分”の値に１０分加算した値）に変更される。その後、上ボタンＵを押す毎に、１０分ずつ追加されるように表示時刻が変更される。尚、”分”の表示が「５０」の時に上ボタンＵを押した場合は、”分”の表示は「００」に変更され、その後は、上ボタンＵを押す毎に、１０分ずつ追加されるように変更される。
【０１２８】
また、上ボタンＵを繰り返し押していき、「--：--」の表示（Ｙ３）がなされた後、２回目以降の「３０」の表示（前回設定時刻Ｘに相当する”分”の表示）を通過するとき（当該「３０」の表示から「４０」の表示への変更時）は、「--：--」は表示されない（図７におけるα３部分参照）。尚、当該２回目以降の「３０」の表示にて下ボタンＤを押して「２０」の表示に戻る場合も、「--：--」の表示はなされない。これにより、再度「３０」の表示直後に「--：--」が表示される煩わしさをなくすことができる。
【０１２９】
同様にして、表示部４６Ａに前回設定時刻Ｘが表示されているときに、下ボタンＤを１回押すことにより、表示時刻は、「--：--」に変更される（図７において矢印Ｙ４で示す）。そして、もう一度下ボタンＤを押すことにより、前回設定時刻Ｘの１０分前の時刻（前回設定時刻Ｘの”分”の値から１０分減算した値）に変更される。その後、下ボタンＤを押す毎に、１０分ずつ減少するように表示時刻が変更される。尚、”分”の表示が「００」の時に下ボタンＤを押した場合は、”分”の表示は「５０」に変更され、その後は、下ボタンＤを押す毎に、１０分ずつ減少するように変更される。
【０１３０】
また、上ボタンＵを繰り返し押していき、「--：--」の表示（Ｙ４）がなされた後、２回目以降の「３０」の表示（前回設定時刻Ｘに相当する”分”の表示）を通過するとき（当該「３０」の表示から「２０」の表示への変更時）は、「--：--」は表示されない（図７におけるα４部分参照）。尚、当該２回目以降の「３０」の表示にて上ボタンＵを押して「４０」の表示に戻る場合も、「--：--」の表示はなされない。これにより、再度「３０」の表示直後に「--：--」が表示される煩わしさをなくすことができる。
【０１３１】
尚、本実施形態においては、”分”の表示が、１０分間隔で変更されているが、この場合に限らず、例えば、１分間隔で変更できるように構成してもよい。
【０１３２】
次に、前回設定時刻Ｘを取り消す場合、即ち、タイマー時刻の設定がなされている状態から、タイマー時刻設定がなされていない状態に変更する場合について説明する。
前回設定時刻Ｘを取り消す場合は、左ボタンＬ又は右ボタンＲを操作して前回設定時刻Ｘにおける”時”又は”分”の表示を反転表示とした後、上ボタンＵ又は下ボタンＤを操作して、図６又は図７において矢印Ｙ１、Ｙ２、Ｙ３、若しくは、Ｙ４で示す取消表示、又は、図６において”時”の表示の「０」と「２３」との間に介在する取消表示（Ｚ１、Ｚ２等）とする。
【０１３３】
本実施形態においては、前回設定時刻Ｘにおける”時”又は”分”の表示を反転表示とした後、上ボタンＵ又は下ボタンＤを１回押すことで、図６又は図７に示す取消表示（Ｙ１、Ｙ２、Ｙ３、Ｙ４のいずれか）とすることができるので、簡単な操作で前回設定時刻Ｘを取り消すことができる。
【０１３４】
次に、前回設定時刻Ｘを取り消した後、再度、タイマー時刻を設定する場合について説明する。
リモコン４６のリモコン制御部４６Ｃが有する記憶部には、前回設定時刻Ｘが取り消されたときに、図６又は図７における矢印Ｙ１、Ｙ２、Ｙ３、Ｙ４のいずれの取消表示（以下、取消表示Ｙと称する）に変更されて取り消されたのか、又は、図６において”時”の表示の「０」と「２３」との間に介在する取消表示（以下、取消表示Ｚと称する）に変更されて取り消されたのかが記憶される。
【０１３５】
図８は、取消表示Ｙとする操作により取消しがなされている場合の、上ボタンＵ又は下ボタンＤの操作と、表示時刻との関係を示す図である。また、図９は、取消表示Ｚとする操作により取消しがなされている場合の、上ボタンＵ又は下ボタンＤの操作と、表示時刻との関係を示す図である。尚、図８及び図９においては、”時”の表示を反転表示としたときの、ボタン操作と表示時刻との関係を示している。また、図８及び図９は、取消表示Ｙ（「--：--」）から、上ボタンＵを１回押す毎に、上に１段ずつ移行するように表示時刻が変更され、また、下ボタンＤを１回押す毎に、下に１段ずつ移行するように表示時刻が変更されることを示している。
【０１３６】
図８に示すように、取消表示Ｙとする操作により取消しがなされている場合は、上ボタンＵ又は下ボタンＤを１回押すことにより、直前に取り消した前回設定時刻Ｘ（「１０：３０」）が表示される。そして、その後、上ボタンＵを押す毎に１時間ずつ追加されるように表示時刻が変更され、また、下ボタンＤを押す毎に、１時間ずつ減少するように表示時刻が変更される。
【０１３７】
一方、図９に示すように、取消表示Ｚとする操作により取消しがなされている場合は、上ボタンＵを１回押すことにより、「０：００」が表示され、その後、上ボタンＵを押す毎に、１時間ずつ追加されるように表示時刻が変更される。一方、下ボタンＤを１回押すことにより、「２３：００」が表示され、その後、下ボタンＤを押す毎に、１時間ずつ減少するように表示時刻が変更される。
【０１３８】
図８、図９には“時”の表示を反転表示したときの例を示しているが、“分”の表示を反転表示したときも同様である．すなわち、「--：--」から上ボタンＵ又は下ボタンＤを１回押すだけで，直前に取り消した前回設定時刻Ｘが表示される。そして、その後、上ボタンＵを押す毎に10分ずつ追加されるように表示時刻が変更され、また、下ボタンＤを押す毎に、１０分ずつ減少するように表示時刻が変更される。
【０１３９】
以上、説明したように、タイマー時刻設定を行う場合においては、タイマー時刻設定画面で、前回設定した時刻を選択して、１度のボタン操作（上ボタンＵ又は下ボタンＤを１回押すこと）で、設定を取り消すことができる。即ち、取消表示（「--：--」）とするために、上ボタンＵや下ボタンＤ等の操作ボタンを複数回押す必要がない。これより、簡易な操作でタイマー時刻設定の取消しが可能になる。
【０１４０】
また、取消表示とするためのボタンは、タイマー設定時刻の変更を行うための操作ボタンである。本実施形態では、取消表示とするためのボタンは、タイマー設定時刻を前後に変更する（”時”又は”分”の値を加算又は減算する）ための操作ボタン（上ボタンＵ、下ボタンＤ）である。したがって、タイマーの取消しを含むタイマー時刻設定を行うために操作するボタンの数を少なくすることができ、当該タイマー時刻設定のための操作をより容易にすることができる。
【０１４１】
また、タイマー時刻設定の取消しを上ボタンＵ又は下ボタンＤの１回操作により行っている場合、即ち、Ｙ１〜Ｙ４のいずれかの取消表示に変更することで取り消しを行っている場合においては、タイマー時刻設定を取り消した後に再設定する際に、簡単な操作で前回の設定時刻を表示させることが可能である。これにより、取消し前の設定時刻に近い時刻にタイマー時刻を再設定する場合において、再設定の操作が煩雑になることを防ぐことが可能になる。
【０１４２】
尚、設定した時刻を取り消さずにタイマーの予約／解除だけを行うことも可能である。
【０１４３】
（第２実施形態）
次に、第２実施形態に係る床暖房装置１０１について説明する。
上記第１実施形態では、室外機５１Ｂに対して、床暖房装置１００を構成する温調水ユニット５１Ａと、空気調和機を構成する室内ユニット１８と、が接続された構成について説明した。第２実施形態においては、室外機５１Ｂに対して温調水ユニット５１Ａのみが接続された構成について説明する。尚、第１実施形態と同一部材には同一符号を付して、詳細な説明を省略する。
【０１４４】
図１０は、本発明の第２実施形態に係る床暖房装置１０１の全体構成を示す水系統及び冷媒系統を示す回路図である。
まず、図１０における回路図の床暖房装置１０１の水系統について説明する。
床暖房装置１０１は、室外に設置された室外ユニット５１と、家屋の床面に配置された４枚の床暖房パネル２と、室内に設置されたリモコン４６と、を有して構成される。室外ユニット５１は、温調水ユニット５１Ａと、ヒートポンプシステムの室外機５１Ｂと、を有して構成される。上記温調水ユニット５１Ａと床暖房パネル２とは、温調水往き配管３ａと温調水戻り配管３ｂとから成る温調水配管３によって接続されている。そして、この温調水配管３を通して、温調水ユニット５１Ａと床暖房パネル２との間において、水循環経路を構成し、温調水８の循環供給を行うよう構成されている。
【０１４５】
上記温調水ユニット５１Ａは、第１実施形態と同様に、水熱交換器１６、簡易密閉型の膨張タンク７、循環ポンプ９、往きヘッダ４、熱動弁１５（開閉弁）、戻りヘッダ６、制御装置３３等が設けられている。尚、戻りヘッダ６と水熱交換器１６との間の管路において、水抜栓１１１が設けられており、水循環経路を流れる温調水を外部に排出することが可能である。また、戻りヘッダ６と水熱交換器１６との間の管路において、温度検知手段である戻り温度検知サーミスタ３５が、また上記水熱交換器１６には、温度検知手段である水熱交温度検知サーミスタ３６が、また水熱交換器１６と膨張タンク７の間の管路において温度検知手段である往き温度検知サーミスタ１１２が、取付けられている。
【０１４６】
次に冷媒系統について説明する。この床暖房装置１０１においては、第１実施形態に係る床暖房装置１００と同様に、温調水８の加熱に水熱交換器１６を使用している。そして、この水熱交換器１６と、ヒートポンプシステムの室外機５１Ｂの室外熱交換器１９（空気熱交換器）との間で冷媒循環回路を構成して、熱交換路１３を流れる温調水８を加熱するようにしている。
【０１４７】
床暖房装置１０１では、冷媒が循環可能な順序で、圧縮機２１、温調水ユニット５１Ａの水熱交換器１６、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されている。そして、上記吸入管２１ｂにアキュムレータ３１が介設される。一方、上記吐出管２１ａには、吐出管温度検知サーミスタ３８、マフラ１１３が付設されている。また、上記四路切換弁２３の一対の２次ポートの間には第１ガス管２４ａ、連絡配管としてのガス管２８ｂ、水熱交換器１６、連絡配管としての液管２８ａ、第１液管２４ｂ、減圧機構２２、第２液管２４ｃ、室外熱交換器１９及び第２ガス管２４ｄが、順番に環状に接続されている。第１ガス管２４ａには、四路切換弁２３側から、マフラ１１４及びガス閉鎖弁１１５が順に介設されている。また、第１液管２４ｂには、連絡配管としての液管２８ａ側から液閉鎖弁１１６、フィルター付マフラ１１７、及びストレーナ１１８が順に介設されている。また、第２液管２４ｃには、減圧機構２２側からストレーナ１１９及びフィルター付分岐マフラ１２０が介設されている。尚、第２液管２４ｃは、フィルター付分岐マフラ１２０にて分岐している。室外熱交換器１９は並列する２つの管路を有しており、当該分岐した一対の第２液管２４ｃに接続されている。そして、室外熱交換器１９における並列する２つの管路は、第２ガス管２４ｄにて合流するように構成されている。また、室外熱交換器１９には、室外熱交温度検知サーミスタ４１とが付設されており、さらに室外機５１Ｂには、外気温度検知サーミスタ４２が取付けられている。
【０１４８】
このように、四路切換弁２３には室外熱交換器１９、減圧機構２２、温調水ユニット５１Ａの水熱交換器１６が環状に接続されている。
【０１４９】
なお、上記床暖房装置１０１には、冷暖房運転の開始や停止等の操作を行うためのワイヤードリモコン４６が設けられている。
【０１５０】
なお、第１実施形態においては、室外機５１Ｂの制御装置３２と温調水ユニット５１Ａの制御装置３３とは、別々に配置されているが、第２実施形態の床暖房装置１０１においては、制御装置３３により、室外機５１Ｂと温調水ユニット５１Ａとを制御できるように構成されている。なお、制御装置３３は室外機５１Ｂに配置した構成であってもよい。
【０１５１】
次に上記床暖房装置１０１の運転動作について説明する。
床暖房装置１０１は、リモコン４６等からの指示に基づいて、冷房運転又は暖房運転が可能である。
【０１５２】
床暖房運転を行う場合には、ガス閉鎖弁１１５及び液閉鎖弁１１６を開いた状態にして、圧縮機２１を駆動し、水熱交換器１６を凝縮器として機能させると共に、室外熱交換器１９を蒸発器として機能させる。そして、この状態で上記温調水ユニット５１Ａ内の循環ポンプ９を駆動する。すると、膨張タンク７内の温調水８が往き管１０内に流出し、温調水配管３及び温調水循環パイプ１１を介して戻り管１２に返流され、次いで熱交換路１３を流通する。このとき凝縮器として機能している水熱交換器１６によって、上記熱交換路１３を流れる温調水８が加熱され、その後、膨張タンク７内へと供給される。そしてこのような運転を継続して行うことによって、床暖房運転を行うことができる。また本実施の形態においては、主に床暖房について述べているが、上記室外熱交換器１９を凝縮器として機能させると共に、水熱交換器１６を蒸発器として機能させれば、温調水８が冷却されるため、これによって床冷房運転を行うこともできる。
【０１５３】
尚、リモコン４６は、表示部４６Ａと、操作部４６Ｂと、リモコン制御部４６Ｃとを備えている。そして、据付時に当該リモコン４６を操作して行う初期設定、ユーザーによるリモコン運転が可能になった後に行う初期設定の変更、及び、タイマー設定については、第１実施形態と同様に行われるため説明は省略する。
【０１５４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１５５】
（１）本実施形態においては、『パネル種類設定』、『循環液設定』、『ゾーン設定』、『給水運転』の設定ができる床暖房装置について説明したが、この場合に限定されない。例えば、いずれか３つの設定が可能な床暖房装置、いずれか２つの設定が可能な床暖房装置、又は、いずれか１つの設定が可能な床暖房装置において、設定可能な項目のうち一つでも設定がなされていない場合は、試運転及びユーザーによる運転ができないように構成したものであってもよい。
【０１５６】
（２）本実施形態においては、床暖房装置の据付後に、所定の初期設定がなされていない場合は、初期設定画面による初期設定モード（Ｓ２０４〜Ｓ２０７）から抜けることができないように構成することで、初期設定前の室外ユニットの運転が規制されているがこの場合に限らない。例えば、初期設定モードを終了させた後に、温調水ユニットの循環ポンプ９が駆動しないように制御したり、また、電動膨張弁２９、液閉鎖弁１１６等を閉じた状態に制御することで室外機から温調水ユニットへの冷媒の供給を制限することにより、室外ユニットの運転を規制することもできる。
【０１５７】
（３）本実施形態においては、ユーザー操作画面で、設定画面表示操作以外の所定の操作を行うことにより給水運転を行うことが可能になるように構成されているが、この場合に限定されない。例えば、設定画面表示操作を行わなければ給水運転を行うことができないように構成してもよい。この場合、設定画面表示操作を行うと、上述したように、給水運転が実行される前に、リモコン４６の表示部４６Ａに警告画面が表示されるので、ユーザーが意図しないのに床暖房装置が給水運転のための制御モードに入ってしまうことをより確実に防止できる。
【産業上の利用可能性】
【０１５８】
本発明を利用すれば、ユーザーによる運転前に、初期設定を確実に行うことが可能になる。
【図面の簡単な説明】
【０１５９】
【図１】本発明の第１実施形態に係る床暖房装置の全体構成を示す水系統及び冷媒系統を示す回路図である。
【図２】初期設定の流れを示すフローチャートである。
【図３】初期設定を変更するための流れを示すフローチャートである。
【図４】ワイヤードリモコン４６の外観図を示す。
【図５】タイマー時刻設定モードにおける表示部の表示を示す図である。
【図６】”時”の設定におけるボタン操作と表示時刻との関係を示す図である。
【図７】”分”の設定におけるボタン操作と表示時刻との関係を示す図である。
【図８】取消表示Ｙとする操作により取消しがなされている場合の、ボタン操作と表示時刻との関係を示す図である。
【図９】取消表示Ｚとする操作により取消しがなされている場合の、ボタン操作と表示時刻との関係を示す図である。
【図１０】本発明の第２実施形態に係る床暖房装置の全体構成を示す水系統及び冷媒系統を示す回路図である。
【符号の説明】
【０１６０】
２Ａ，２Ｂ，２Ｃ  床暖房パネル
１５Ａ，１５Ｂ，１５Ｃ，１５Ｄ  熱動弁（開閉弁）
４６  リモコン
４６Ａ  表示部
４６Ｂ  操作部
５０、５１  室外ユニット
１００、１０１  床暖房装置
【図１】
0004661855.tif 000002
【図２】
0004661855.tif 000003
【図３】
0004661855.tif 000004
【図４】
0004661855.tif 000005
【図５】
0004661855.tif 000006
【図６】
0004661855.tif 000007
【図７】
0004661855.tif 000008
【図８】
0004661855.tif 000009
【図９】
0004661855.tif 000010
【図１０】
0004661855.tif 000011